(57)【要約】【課題】  特に空気循環器の効率を向上させるファンカバーを提供する。【解決手段】フロントカバー及びバックカバーを有し、その内、該フロントカバーは、円筒状を呈し、止め部と、該止め部の内周縁に一体に成形され、前側へ突出する通気部とを備えるガイド部材と、該通気部に一体に成形されると共に、中央から外側へ向かって渦状に延設される複数の渦状リブを備える送風部材とを備え、該バックカバーは、前側の開口にフロントカバーが嵌め込まれるものである。【選択図】  図３
0003174342.tif 000002
【実用新案登録請求の範囲】
【請求項１】
円筒状を呈し、止め部と、該止め部の内周縁に一体に成形され、前側へ突出する通気部とを備えるガイド部材と、該通気部に一体に成形されると共に、中央から外側へ向かって渦状に延設される複数の渦状リブを備える送風部材とを有するフロントカバーと、
前側の開口にフロントカバーが嵌め込まれるバックカバーと、を有することを特徴とする空気循環器のファンカバー。
【請求項２】
前記送風部材は、中央に位置するカバー部材と、それぞれ該カバー部材の外周縁から外側へ向かって渦状に延出する前記複数の渦状リブと、前記複数の渦状リブの外側に設けられる環状の固定リングと、それぞれ該固定リングを中心として同心円上に、外側へいくにつれて直径が拡大するように配列される複数の円形リブと、それぞれ該複数の円形リブと垂直するように、該固定リングの外周縁から間隔をおいて渦状に延出する複数の支持リブと、を備えることを特徴とする請求項１に記載の空気循環器のファンカバー。
【請求項３】
さらに、前記バックカバーはそれぞれ、内側周面に間隔をおいて配列される複数の間隔リブと、該各間隔リブの間にそれぞれ形成される間隔空間と、該間隔空間に位置する複数の係合リブとを備え、
前記止め部の外周縁から後方へ突出するように、間隔をおいて凸設され、前記隣接する２つの間隔リブの間の間隔空間における係合リブに係合される複数のフック部を有することを特徴とする請求項２に記載の空気循環器のファンカバー。
【請求項４】
前記バックカバーの上部に取っ手が設けられることを特徴とする請求項３に記載の空気循環器のファンカバー。
【考案の詳細な説明】
【技術分野】
【０００１】
本考案は、特に空気循環器のファンをカバーするように組み合わせて用いるファンカバーに関するものである。
【背景技術】
【０００２】
従来の空気循環器について、例えば、台湾実用新案第３０００２３号の「送風方向を誘導する送風機」は、ファンカバーを有し、そのファンカバーで、送気装置からの風を適当な風速に控えると共に、決まった方向に送ることにより、風の送り出す距離を伸ばしている。また、そのファンカバーによれば、送風機からの風をフロントカバーに集めてからモータの軸方向に沿って遠くへ送り出すことができるが、風を広く送り出すことができないので、改良する必要があった。
【先行技術文献】
【特許文献】
【０００３】
【特許文献１】台湾実用新案第３０００２３号明細書
【考案の概要】
【考案が解決しようとする課題】
【０００４】
従来の空気循環器は、羽根に特別な設計を有しないことから、送風方向を誘導できず、また、風を広く送り出すことができなく、送風効率を下げる虞があった。
【課題を解決するための手段】
【０００５】
本考案に係る空気循環器のファンカバーは、フロントカバー及びバックカバーを有し、その内、該フロントカバーは、円筒状を呈し、止め部と、該止め部の内周縁に一体に成形され、前側へ突出する通気部とを備えるガイド部材と、該通気部に一体に成形されると共に、中央から外側へ向かって渦状に延設される複数の渦状リブを備える送風部材とを備え、該バックカバーは、前側の開口にフロントカバーが嵌め込まれるものである。
【０００６】
前記送風部材は、中央に位置するカバー部材と、それぞれ該カバー部材の外周縁から外側へ向かって渦状に延出する前記複数の渦状リブと、前記複数の渦状リブの外側に設けられる環状の固定リングと、それぞれ該固定リングを中心として同心円上に、外側へいくにつれて直径が拡大するように配列される複数の円形リブと、それぞれ該複数の円形リブと垂直するように、該固定リングの外周縁から間隔をおいて渦状に延出する複数の支持リブと、を備えることが好ましい。
【０００７】
さらに、前記バックカバーはそれぞれ、内側周面に間隔をおいて配列される複数の間隔リブと、該各間隔リブの間にそれぞれ形成される間隔空間と、該間隔空間に位置する複数の係合リブとを備え、
前記止め部の外周縁から後方へ突出するように、間隔をおいて凸設され、前記隣接する２つの間隔リブの間の間隔空間における係合リブに係合される複数のフック部を有しても構わない。
【０００８】
前記バックカバーの上部に取っ手が設けられることが好ましい。
【考案の効果】
【０００９】
本考案に係る空気循環器のファンカバーは上記の如く、フロントカバーのガイド部材に、止め部より小径の通気部が設けられることから、送風範囲を狭くして風速及び風量をたかめることができ、また、フロントカバーの送風部材に渦状の渦状リブが設けられることから、風を竜巻状に吹き出して部屋内に空気を循環させることができるので、送風距離を伸ばしつつ、空気循環器の効率を高めることができる。
【図面の簡単な説明】
【００１０】
【図１】本考案に係る空気循環器のファンカバーの斜視図である。
【図２】本考案に係空気循環器のファンカバーにおけるフロントカバーの正面図である。
【図３】本考案に係る空気循環器のファンカバーの部分分解斜視図である。
【図４】本考案に係る空気循環器のファンカバーを空気循環機に装着した状態を示す斜視透視図である。
【図５】本考案に係る空気循環器のファンカバーを空気循環機に装着して竜巻状に送風した状態を示す使用状態図である。
【考案を実施するための形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１２】
図１乃至図３に示すように、本考案に係る空気循環器のファンカバーは、フロントカバー１０と、バックカバー２０とを有し、その内、該フロントカバー１０は、円筒状を呈すると共に、ガイド部材１１及び送風部材１２を備え、該ガイド部材１１は、環状でスムーズな表面を有する止め部１１１と、円筒状を呈し、該止め部１１１の内周縁に一体に成形されると共に、前側へ突出する通気部１１２と、該止め部１１１の外周縁から後方へ突出するように、間隔をおいて凸設される複数のフック部１１３とを備え、この構造によれば、該ガイド部材１１は、止め部１１１を介して風を通気部１１２に集めてからガイド部材１１の前方へ送り出すことができる。
【００１３】
前記送風部材１２は、前記通気部１１２の前側中央に一体に成形されるカバー部材１２０と、それぞれ該カバー部材１２０の外周縁から外側へ向かって渦状に延出する複数の渦状リブ１２１と、該複数の渦状リブ１２１の外側に設けられる環状の固定リング１２２と、それぞれ該固定リング１２２を中心として同心円上に、外側へいくにつれて直径が拡大するように配列される複数の円形リブ１２３と、それぞれ該複数の円形リブ１２３と垂直するように、該固定リング１２２の外周縁から間隔をおいて渦状に延出する複数の支持リブ１２４とを備える。
【００１４】
図１及び図３に示すように、前記バックカバー２０は、前側に、前記フロントカバー１０を受け入れる開口が形成されると共に、後側に複数の通気孔が形成されるバックプレートと、該バックプレートの外周縁から前側へ向かって凸設される環状の凸縁と、該バックプレートの上部に設けられる取っ手２１と、該バックプレートの内側周面と凸縁との間に設けられると共に、それぞれ内周面に間隔をおいて配列される複数の間隔リブ２２と、該各間隔リブ２２の間にそれぞれ形成される間隔空間と、該間隔空間に位置するように、両端が対応する間隔リブ２２に当接される複数の係合リブ２３とを備える。
【００１５】
上述の構造によれば、フロントカバー１０をバックカバー２０に組み合わせる時は、該フロントカバー１０のガイド部材１１をバックカバー２０の凸縁内部に位置させると共に、該ガイド部材１１のフック部１１３を、間隔リブ２２の間における間隔空間の係合リブ２３に係合すれば、フロントカバー１０をバックカバー２０に固定することができる。
【００１６】
また、本考案に係る空気循環器のファンカバーを、空気循環器３０のモータに装着して使用する時は、先ず、バックカバー２０を、モータの軸体がバックカバー２０の中央から前側へ突出するように、モータ前側に装着し、羽根をモータの軸体に取り付け、そして、ガイド部材１１のフック部１１３をバックカバー２０の係合リブ２３に係合することによって、羽根をカバーするように、フロントカバー１０をバックカバー２０に装着すればよい。
【００１７】
その空気循環器３０を用いる時は、モータの駆動により羽根を回転させて風を発生させるが、この時、フロントカバー１０の止め部１１１により風を誘導して通気部１１２を通過させ、送風範囲にを狭くすることにより、風を一方向に送り出し、と共に、風速を増強することができる。また、空気循環器３０は、羽根の形状により風を所定の回転方向に沿って送り出すが、その風が送風部材１２の渦状リブ１２１を通過する時、その風の回転方向は、渦状リブ１２１の渦形状の方向と一致していることから、風を竜巻状に吹き出すことができるので、送風距離をより延長できると共に、部屋中の空気を循環させることもできる。
【産業上の利用可能性】
【００１８】
本考案は上記説明によれば、送風範囲を狭くして風速及び風量を増強するための通気部と、風を竜巻状に吹き出すための渦状リブとを備えることから、空気循環器を使用している時、風量切り替えスイッチを弱にしても、従来の扇風機よりも強力な風を送り出すことができるので、空気循環器の効率を向上させることができる。
【符号の説明】
【００１９】
１０ フロントカバー
１１ ガイド部材
１１１ 止め部
１１２ 通気部
１１３ フック部
１２ 送風部材
１２０ カバー部材
１２１ 渦状リブ
１２２ 固定リング
１２３ 円形リブ
１２４ 支持リブ
２０ バックカバー
２１ 取っ手
２２ 間隔リブ
２３ 係合リブ
３０ 空気循環器
【図１】
0003174342.tif 000003
【図２】
0003174342.tif 000004
【図３】
0003174342.tif 000005
【図４】
0003174342.tif 000006
【図５】
0003174342.tif 000007